(57)【要約】【課題】  殺菌水を便器洗浄動作と同時に供給できるようにし、且つ、そのタイミングについても殺菌が効果的に行えるときに供給することで、使用者に違和感なく、殺菌水の投入無駄を防止し、便器の汚れを抑制できる便器を提供することを目的とする。  【解決手段】  使用者の排泄物を受け排水配管との間に溜水を溜めたトラップを形成した便器と、前記便器に洗浄水を供給する洗浄水供給手段と、前記洗浄水と共に殺菌水を供給する殺菌水供給手段を備えた便器において、前記便器の一定期間の使用状態に基づいて不使用時間帯を予測する学習制御手段とを有し、前記不使用時間帯の所定時間前から不使用時間帯までの便器洗浄に殺菌水を供給することを特徴とする便器である。【選択図】  図１
2010077680.tif 000002
【特許請求の範囲】
【請求項１】
使用者の排泄物を受け排水配管との間に溜水を溜めたトラップを形成した便器と、
前記便器に洗浄水を供給する洗浄水供給手段と、
前記洗浄水と共に殺菌水を供給する殺菌水供給手段を備えた便器において、
前記便器の一定期間の使用状態に基づいて不使用時間帯を予測する学習制御手段とを有し、
前記不使用時間帯の所定時間前から不使用時間帯までの便器洗浄に殺菌水を供給することを特徴とする便器。
【請求項２】
前記殺菌水供給手段は、電解槽により殺菌性金属イオンを供給することを特徴とする請求項１に記載の便器。
【請求項３】
前記殺菌性金属イオンの濃度は、電解槽に供給する電力量によって調整可能性であるを特徴とする請求項２に記載の便器。
【請求項４】
前記不使用時間帯に合わせて殺菌性金属イオン濃度を調整することを特徴とする請求項１乃至３のいずれかに記載の便器。
【請求項５】
前記殺菌水供給手段は、１日利用されない場合には、翌日の最初の便器洗浄に高濃度の殺菌水を投入することを特徴とする請求項１乃至４の何れかに記載の便器。
【発明の詳細な説明】
【技術分野】
【０００１】
本発明は、殺菌性金属イオン水を所定量、かつ、所定時間溜水に貯留させることに係り、特に微生物に由来する汚れが便器のボール表面に発生することを防止することに好適な便器に関する発明である。
【背景技術】
【０００２】
従来の便器における微生物に由来する汚れ発生を防止する方法としては、便器洗浄時に殺菌性の薬液を吐出供給している（例えば、特許文献１参照。）。 
便器洗浄毎に薬液を投入することになるので、薬液が毎回消耗されることになり、薬液補充に関する保守作業が大変であった。
【０００３】
また、殺菌水として、補充を要する薬液を利用するのではなく電解槽で生成される殺菌性金属イオン水を利用として、種々のタイミングで、殺菌性金属イオン水を供給し、保守作業を低減できるものもある（例えば、特許文献２参照。）。
【０００４】
【特許文献１】特許第３０４７９４０号公報
【特許文献２】特開平１１−１０６８９１号公報
【発明の開示】
【発明が解決しようとする課題】
【０００５】
便器洗浄のタイミングにて、殺菌水を供給することは、使用者にとっては、特に、意識することなく殺菌水の供給が自動的になされるので、望ましい形態ではある。しかしながら、便器洗浄が頻繁に行われような場合には、便器のトラップの溜水が新しい洗浄水に入れ替わり、洗浄水中の菌の繁殖は殆ど行われないので、無駄に殺菌水を利用していることになる。そこで、所定時間間隔や夜間のみに殺菌水を供給することが提案されているが、間隔を密に取ると、上記同様に無駄に供給されてっしまったり、逆に間隔を長く取ると溜水中に殺菌水が無い状態で、暫らく放置され、菌が繁殖してしまったり、また、便器洗浄でのタイミングとは別になるため、便器の誤動作と感じてしまったり、夜間就寝中に洗浄音が聞こえ不快に感じるといった不具合がある。
そこで、本発明は、殺菌水を便器洗浄動作と同時に供給できるようにし、且つ、そのタイミングについても殺菌が効果的に行えるときに供給することで、使用者に違和感なく、殺菌水の投入無駄を防止し、便器の汚れを抑制できる便器を提供することを目的とする。
【課題を解決するための手段】
【０００６】
上記目的を達成するために本発明は、使用者の排泄物を受け排水配管との間に溜水を溜めたトラップを形成した便器と、前記便器に洗浄水を供給する洗浄水供給手段と、前記洗浄水と共に殺菌水を供給する殺菌水供給手段を備えた便器において、前記便器の一定期間の使用状態に基づいて不使用時間帯を予測する学習制御手段とを有し、前記不使用時間帯の所定時間前から不使用時間帯までの便器洗浄に殺菌水を供給することを特徴とする。
【０００７】
本発明によれば、例えば、１週間の使用時間を記憶し、その結果に基づいて、便器不使用時間帯を予測し、その不使用時間帯の所定時間前に便器洗浄には、殺菌水を供給できるように殺菌水供給手段を駆動させるので、不使用時間帯に入った際には、便器の溜水中には殺菌水が存在しているので、菌の増殖を抑制し、便器の汚れを抑制できる。
【０００８】
本発明において、好ましくは、前記殺菌水供給手段は、電解槽により殺菌性金属イオンを供給することする。それによって、本発明では、薬液用のタンク等が不要となり、保守作業が軽減される。
【０００９】
本発明において、好ましくは、前記殺菌性金属イオン濃度は、電解槽に供給する電力量によって調整可能性である。それによって、本発明では、便器の使用環境等によって、菌の繁殖状況が異なる場合でもその使用環境にあった濃度の殺菌水を電力量を調整することで簡単に供給できる。
【００１０】
本発明において、好ましくは、前記不使用時間帯に合わせて殺菌性金属イオン濃度を調整する。それによって、本発明では、殺菌の効果は、殺菌水の殺菌性金属イオン濃度と時間とに影響されるため、例えば、不使用時間帯が長ければ、低濃度の殺菌イオンや薬液で良いため、無駄の無い効果的な殺菌水の供給が可能となる。
【００１１】
本発明において、好ましくは、前記殺菌水供給手段は、１日利用されない場合には、翌日の最初の便器洗浄に高濃度の殺菌水を投入する。何らかに事情で便器が使用されなかった場合には、菌が繁殖している可能性が高いの高濃度の殺菌水を投入し、短時間で殺菌させることで、便器汚れを抑制することができる。
【発明の効果】
【００１２】
本発明は、殺菌水を便器洗浄動作と同時に供給できるようにし、且つ、そのタイミングについても殺菌が効果的に行えるときに供給することで、使用者に違和感を持たせることなく、殺菌水の投入無駄を防止し、便器の汚れを抑制できる便器を提供することができる。
【発明を実施するための最良の形態】
【００１３】
本発明の第一実施形態について、添付図面に基づいて以下に説明する。図１は本発明に係る殺菌水を用いた便器洗浄システムを組み込んだ直圧給水式便器の斜視図ある。
【００１４】
図１において、便器１には開閉自在の便座、便ふた、および衛生洗浄装置が取り付けられるが、本図では省略されている。便器１には排泄物を受けるボール２が設けられており、建物の排水配管３とボール２の間には、排水配管３からの臭気拡散や衛生害虫の侵入を防止するための溜水４を貯留すべく、トラップ５が構成されている。便器１に供給される市水は、水路開閉手段６を介して、ボール２を水洗するためのリム吐水ノズル７と、トラップ３に向けて吐水することでサイホン現象を誘引するためのゼット吐水ノズル８に供給されるようになっている。殺菌水生成装置９は、便器１に内蔵された水路開閉手段６からリム吐水ノズル７への給水路に組み込まれている。
【００１５】
殺菌水生成装置９は、本実施形態では、電解槽に供給される電力によって、銀電極の溶出による銀イオンを利用し、さらに、その濃度を電力の増減によって、可変できるものを使用している。電力供給手段としては一般的な商用電源だけでなく、電池であったり、前記便器洗浄手段動作時に生成・蓄電される自己発電によるものであってもよい。なお、殺菌水としては殺菌性金属イオンをではなく、次亜塩素酸やオゾン水などのように他の殺菌メカニズムを持つものでもよい。
【００１６】
次に、第一実施形態の動作について説明する。
図２は、本発明に係る殺菌水を用いた便器洗浄システムを組み込んだ直圧給水式便器のシステムブロック図である。
使用者が便器洗浄の動作を行うと、洗浄水供給手段となる水路開閉手段６によって、水路は開となり、便器１に洗浄水となる市水が供給される。洗浄水は、水路開閉手段６を介して、ボール２を水洗するためのリム吐水ノズル７と、トラップ５に向けて吐水することでサイホン現象を誘引するためのゼット吐水ノズル７に供給される。具体的には、先ずリム吐水ノズル７より吐水してボール２を水洗すると共にトラップ３を満水化する。これを前リム吐水と称する。次いで、ゼット吐水ノズル８はトラップ５の直上に向けて吐水を行い、排水配管３とボール２の間に圧力差を生じせしめ、排泄物混じりの溜水４を排水配管３に排出する。次いでリム吐水ノズル７はボール２に向けて吐水し、所定深さの封水深を形成するようになっている。これを後リム吐水と称する。以上による1回の洗浄動作が完了する。
【００１７】
この便器洗浄動作において、殺菌水は、後述する学習制御手段１０によって把握された不使用時間帯の所定時間前の便器洗浄に殺菌水を供給すべく、計時手段１１、電力制御手段１２場合によって、濃度制御手段１３からなる制御手段１４によって、流路開閉手段６及び殺菌水生成手段９を動作させ、便器洗浄を行う。この際、殺菌水は、後リム吐水と共に供給されるようにすることで、溜水中に殺菌水を供給することができ、不使用時間帯に溜水中に菌の繁殖を抑制できるものとなる。
【００１８】
なお、殺菌水の濃度については、不使用時間帯の長さによって、定義調整するのが望ましい。発生した濃度をフィードバッグしながら電力供給手段１６を制御することも考えられる。本実施例では供給する電力で殺菌水濃度を制御すべく、濃度制御手段17も組み込まれている
【００１９】
次に、不使用時間帯を設定する学習制御手段とそれによって把握された不使用時間帯に基づく、殺菌水供給について、以下に説明する。
【００２０】
図３は、本発明の学習制御の示す使用方法の一事例であり、図４は本発明の学習制御方法のフローチャートである。
【００２１】
通電当初、デフォルトとして使用時間帯は例えば６時から２３時と仮決めする。横軸は時間帯であり、１日目以降７日目までの各時間帯は使用実績の有無を計時手段で確認する。図１において、網掛けしている部分が使用実績を確認した時間帯とする。図３の事例において、１週間の時間帯を確認し、８日目に学習結果を演算する。
【００２２】
Ｓ１０１で演算をスタートする。Ｓ１０２は使用時間帯を確認するステップで、図３の事例では各１時間おきに使用実績があったかを確認し、Ｓ１０３で１週間分を記憶する。Ｓ１０４は各時間帯の使用確率を演算するステップであり、例えば２時から３時は使用確率Ｃ＝１／７＝１４％、４時から５時は使用確率Ｃ＝０／７＝０％、５時から６時は使用確率Ｃ＝５／７＝７１％と演算する。Ｓ１０５は使用時間帯かどうかを判断するステップであり、例えば閾値を５０％と設定して、Ｓ１０６とＳ１０７で使用時間帯か不使用時間帯かを判断し、Ｓ１０８で一覧として学習結果を演算し、Ｓ１０９でストップする。学習期間を１週間とすると、次には１日目のデータを書き換えて新たに使用時間帯と不使用時間帯を修正していく。
【００２３】
本事例では１時間を判断時間帯としたが、３０分単位であってもよい。通常、使用者は１週間の内に２回休日をとることが多く、それを配慮した学習間隔を設定しても良い。
【００２４】
本実施例の場合、学習結果として演算された７時から８時、および２３時から２４時の間は、次の使用間隔が長く空くことが想定される時間帯ということになる。
【００２５】
この学習の場合、８時から１８時、および２４時から５時が不使用時間帯であり、各々１０時間と５時間の不使用時間帯と推定することができる。
【００２６】
次に、上記によって把握された不使用時間帯と殺菌水の供給タイミングについて説明する。
学習制御によって設定された不使用時間帯の溜水には、殺菌水が投入される必要があるため、不使用時間帯に入る前の最後の便器洗浄に殺菌水が投入される必要がある。その為に本実施形態では、不使用時間帯の前の所定時間から、例えば、1時間前の便器洗浄の利用には、殺菌水を投入するように制御手段によって制御する。なお、不使用時間帯に洗浄動作が行われる場合もあるため、不使用時間帯の所定時間前の洗浄動作までの洗浄動作まで、殺菌水を供給するようにしても良い。
なお、所定時間の設定に関しては、上記した使用確率の実績を考慮して設定しても良く、また、不使用時間帯を設定するための閾値とは別の所定時間帯すなわち不使用時間帯に入る直前となる位置づけの時間帯を設定するための閾値（不使用確率に更に安全率を考慮した場合のもの）を利用してその時間帯を割り出し、その設定時間の最前の時間を所定時間前と設定しても良い。
なお、殺菌の効果は、滞溜時間と溜水中の殺菌金属イオン濃度との関係で決まってくることが知られており、時間が長くなれば溜水中の殺菌金属イオン濃度は低くて良い。例えば、便器の溜水量は、約１~２Lの間位で、７時間以上の不使用時間帯であれば、２ｐｐｂ程度、それ以下の不使用時間帯であれば、４ｐｐｂ程度あれば殺菌できることを確認している。従って、不使用時間帯が把握できれば、それに応じて供給する殺菌水の濃度を調整して供給すれば良い。
また、不使用時間帯に基づき殺菌水を供給するように制御したが、１日経っても便器洗浄がなかった場合には、翌日の最初の便器洗浄に高濃度、例えば、６ｐｐｂあれば、数分で殺菌が可能となるので、それ以上の濃度に設定すれば良い。
【００２７】
次に、本発明の第２実施態様を図５に基づいて説明する。第１実施態様と異なる部分は、便器の洗浄水を一次貯留するタンクから供給する所謂タンク式の便器である点である。第1実施形態と同じ部位には、同じ符合を用いて説明する。
図５は本発明に係る殺菌水を用いた便器洗浄システムを組み込んだロータンク給水式便器の斜視図である。便器１には排泄物を受けるボール２が設けられており、建物の排水配管とボール２の間には、排水配管からの臭気拡散や衛生害虫の侵入を防止するための溜水４を貯留すべく、トラップが構成されている。便器１に供給される市水は、水路開閉手段６を介して、タンク１５に所定量だけ貯留されるようになっている。タンク１３から供給された水は、便器１内部でボール５を水洗するためのリム吐水ノズルと、トラップに向けて吐水することでサイホン現象を誘引するためのゼット吐水ノズルに分岐されるようになっている。殺菌水生成装置１２は、水路開閉手段９とタンク１５の間に配置され、所定濃度の殺菌水をタンク１５に貯留するようになっている。便器洗浄を行う場合、殺菌水を使用してボール２の水洗、排水配管に向けた排泄物混じりの溜水４の排出、およびトラップに所定深さの封水深を形成することを、一連の洗浄工程で実施するようになっている。殺菌水生成手段１２が駆動され、所定濃度の殺菌水をタンク１５に向けて吐出される水に混ぜるようになっている。
【００２８】
次に、第２実施形態の動作について説明するが、図６のシステムブロック図に示すように、リムとゼットへの流路切替手段が存在せず、直接、ボール２に対してタンク１５が給水することになっている以外は、同様であるが、第１実施形態では、殺菌水を供給したい便器洗浄のタイミングで殺菌水を供給すれば、良いがタンク式の場合には、貯留したタンクに殺菌水を供給することになるので、所定時間前の設定は、第1実施形態より若干長くなる。
なお、図５では、タンクに所定濃度の殺菌水を貯留するようにしているが、封水を形成するためのリフィール水にのみ殺菌水を投入するようにすれば、金属電極の消耗が抑制できる共に便器洗浄のタイミングと同時に殺菌水を供給できるので、第１実施形態同様の所定時間前の設定動作で良くなる。
【００２９】
上記実施形態では、、洋風大便器に本発明を組み込んだ事例を示したが、本発明の主眼とすることは溜水に殺菌水を供給するものであり、和風便器であったり、圧送方式のポータブル便器のようなものであっても良い。
【図面の簡単な説明】
【００３０】
【図１】本発明に係る殺菌水を用いた便器洗浄システムを組み込んだ直圧給水式便器の斜視図である。
【図２】本発明に係る殺菌水を用いた便器洗浄システムを組み込んだ直圧給水式便器のシステムブロック図である。
【図３】本発明の学習制御の示す使用方法図である。
【図４】本発明の学習制御方法のフローチャートである
【図５】本発明に係る殺菌水を用いた便器洗浄システムを組み込んだロータンク給水式便器の斜視図である。
【図６】本発明に係る殺菌水を用いた便器洗浄システムを組み込んだロータンク給水式のシステムブロック図である。
【符号の説明】
【００３１】
１…便器
２…ボール
３…排水配管
４…溜水
５…トラップ
６…水路開閉手段
７…リム吐水ノズル
８…ゼット吐水ノズル
９…殺菌水供給手段
１０…学習制御手段
１１…計時手段
１２…電力制御手段
１３…濃度制御手段
１４…制御手段
１５…タンク
【図２】
2010077680.tif 000003
【図４】
2010077680.tif 000004
【図５】
2010077680.tif 000005
【図６】
2010077680.tif 000006
【図１】
2010077680.tif 000007
【図３】
2010077680.tif 000008